(57)【特許請求の範囲】
【請求項１】
画像を表わす画像データを入力する画像データ入力手段，
上記画像データ入力手段によって入力された画像データにより表わされる画像を貼り付けるべき複数種類の台紙の画像を表わす台紙画像データをあらかじめ記憶した台紙画像データ記憶手段，
上記台紙画像データ記憶手段に記憶されている台紙画像データによって表わされる複数種類の台紙画像のうち所望の台紙画像を選択する台紙画像選択手段，ならびに
上記画像データ入力手段から入力した画像データおよび上記台紙画像選択手段により選択された台紙の画像を表わす台紙画像データを互いに関連付けて，可搬型記憶媒体に記憶する記憶制御手段を備え，
上記画像データ入力手段が，少なくとも駒に関する情報を記録する情報記録部を備えた現像後のフイルムからそこに現われている駒の画像を読取り，その画像を表わす画像データを出力する読取手段であり，
上記選択手段が，上記情報記録部に記録された情報を読取り，この読取った情報にもとづいて上記台紙画像データ記憶手段に記憶されている台紙画像データによって表わされる複数種類の台紙の画像のうちの一種類の台紙画像を選択するものである，
ファイリング・システム。
【請求項２】
上記可搬型記憶媒体に，画像データおよび台紙画像データを記憶する容量があるかどうかを判定する残容量判定手段をさらに備え，
上記記憶制御手段は，上記残容量判定手段により記憶容量がまだあると判定されたときに，上記画像データ入力手段から入力した画像データおよび上記台紙画像選択手段により選択された台紙画像を表わす台紙画像データを，上記可搬型記憶媒体に記憶するものである，
請求項１に記載のファイリング・システム。
【請求項３】
上記可搬型記憶媒体が大容量記憶媒体かどうかを判定する大容量記憶媒体判定手段をさらに備え，
上記記憶制御手段は，上記大容量記憶媒体判定手段により大容量記憶媒体であると判定されたときに，上記画像データ入力手段から入力した画像データおよび上記台紙画像選択手段により選択された台紙画像を表わす台紙画像データを，上記可搬型記憶媒体に記憶するものである，
請求項１に記載のファイリング・システム。
【請求項４】
上記画像データ入力手段によって入力された画像データによって表わされる画像の縮小画像の一覧を表示する表示手段，ならびに
上記表示手段に一覧表示された縮小画像のうち所望の画像を指定する指定手段をさらに備え，
上記記憶制御手段は，上記画像データ入力手段によって入力された画像データのうち，上記指定手段によって指定された縮小画像に対応する画像を表わす画像データを上記可搬型記憶媒体に記憶するものである，
請求項１に記載のファイリング・システム。
【請求項５】
画像データをデータ圧縮する画像データ圧縮手段をさらに備え，
上記記憶制御手段は，上記画像データ圧縮手段によってデータ圧縮された画像データを上記可搬型記憶媒体に記憶するものである，
請求項１に記載のファイリング・システム。
【請求項６】
上記画像データ入力手段によって入力された画像データによって表わされる画像を装飾する装飾画像を表わす装飾画像データをあらかじめ記憶した装飾画像データ記憶手段をさらに備え，
上記記憶制御手段は，上記画像データ入力手段から入力された画像データおよび上記台紙画像選択手段により選択された台紙画像を表わす台紙画像データに加え，上記装飾画像データ記憶手段に記憶されている装飾画像データを互いに関連付けて上記可搬型記憶媒体に記憶するものである，
請求項１に記載のファイリング・システム。
【請求項７】
音データをあらかじめ記憶した音データ記憶手段を備え，
上記記憶制御手段は，上記画像データ入力手段から入力された画像データおよび上記台紙画像選択手段により選択された台紙画像を表わす台紙画像データに加え，上記音データ記憶手段に記憶されている音データを互いに関連付けて上記可搬型記憶媒体に記憶するものである，
請求項１に記載のファイリング・システム。
【請求項８】
上記可搬型記憶媒体に記憶された上記画像データおよび上記台紙画像データを読出す記憶画像データ読出手段，ならびに
上記記憶画像データ読出手段によって読出された上記台紙画像データにより表わされる台紙画像に，上記記憶画像データ読出手段によって読出された上記画像データにより表わされる画像を貼り付けてなるバーチャル・アルバム画像を表わすデータを合成する画像合成手段，
をさらに備えた請求項１に記載のファイリング・システム。
【請求項９】
上記画像合成手段によって作成されたバーチャル・アルバム画像データによって表わされるバーチャル・アルバム画像を表示する手段をさらに備えた請求項８に記載のファイリング・システム。
【請求項１０】
上記画像合成手段によって作成されたバーチャル・アルバム画像データによって表わされるバーチャル・アルバム画像をプリントするプリンタを備えた請求項８に記載のファイリング・システム。
【請求項１１】
少なくとも駒に関する情報を記録する情報記録部を備えた現像後のフイルムからそこに現われている駒の画像を読取り，その画像を表わす画像データを出力する読取手段から出力された画像データを入力し，
入力した画像データにより表わされる画像を貼り付けるべき複数種類の台紙の画像を表わす台紙画像データをあらかじめ記憶しておき，
上記情報記録部に記録された情報を読取り，この読取った情報にもとづいてあらかじめ記憶されている台紙画像データによって表わされる複数種類の台紙の画像のうちの一種類の台紙画像を選択し，
入力した上記画像データおよび選択された上記台紙の画像を表わす台紙画像データを互いに関連付けて，可搬型記憶媒体に記憶する，
ファイリング方法。
【請求項１２】
上記画像データ入力手段によって入力された画像データによって表わされる画像を装飾する装飾画像を表わす装飾画像データをあらかじめ記憶しておき，
入力した上記画像データおよび選択された上記台紙画像を表わす台紙画像データに加え，あらかじめ記憶されている上記装飾画像データを互いに関連付けて上記可搬型記憶媒体に記憶する，
請求項11に記載のファイリング方法。
【請求項１３】
音データをあらかじめ記憶しておき，
入力した上記画像データおよび選択された上記台紙の画像を表わす台紙画像データに加え，あらかじめ記憶されている上記音データを互いに関連付けて上記可搬型記憶媒体に記憶する，
請求項11に記載のファイリング方法。
【請求項１４】
上記可搬型記憶媒体に記憶された上記画像データおよび上記台紙画像データを読取り，
読取られた上記台紙画像データにより表わされる台紙の画像に，読取られた上記画像データにより表わされる画像を貼り付けた貼付画像を表わすデータを合成する，
請求項11に記載のファイリング方法。
【発明の詳細な説明】
【０００１】
【技術分野】
この発明は，写真フイルム，印刷物，メモリ・カード等の入力媒体から得られるディジタル画像データをフロッピー・ディスク，光ディスク等の出力記録媒体に記録するファイリング・システムおよび方法，ならびにこのファイリング・システムによって作成された記録媒体に記憶されているディジタル画像データによって表わされる画像を再生する再生装置および方法に関する。
【０００２】
【背景技術】
コンピュータおよびその利用機器が普及するにつれて様々な情報がディジタル化され，各種の記録媒体に記録されて保存されるようになりつつある。画像情報もその例に洩れない。写真フイルム，写真，印刷物等に現われている画像をスキャナによって読取り，ディジタル画像データに変換し，そして光ディスク等の記録媒体に記録するシステムの実現が望まれている。
【０００３】
このようなシステムを仮定したときに，最も単純には，画像データの再生は，記録媒体に記録された画像データによって表わされる画像を単に表示し，またはプリントするものとなろう。
【０００４】
一方，光ディスク等の大容量記録媒体には多数の画像の画像データを記録することができるから，正月に撮影した写真の画像，入学式に撮影した画像，旅行のときに撮影した画像などさまざまな種類の画像が混在することが起こりうる。整理の観点からは同じ種類の画像をまとめて表示またはプリントすることが望まれる。
【０００５】
【発明の開示】
この発明は，写真フイルム，写真，印刷物等に現われる画像を表わす画像データを光ディスク等の記録媒体に記録し，必要に応じて再生するファイリング・システムにおいて，同じ種類の画像をまとめて記憶しておく，または関連づけて表示もしくはプリントできるようにすることを目的とする。
【０００６】
この発明によるファイリング・システムは，画像を表わす画像データを入力する画像データ入力手段，上記画像データ入力手段によって入力された画像データにより表わされる画像を貼り付けるべき複数種類の台紙の画像を表わす台紙画像データをあらかじめ記憶した台紙画像データ記憶手段，上記台紙画像データ記憶手段に記憶されている台紙画像データによって表わされる台紙画像のうち所望の台紙画像を選択する台紙画像選択手段，ならびに上記画像データ入力手段から入力した画像データおよび上記台紙画像選択手段により選択された台紙の画像を表わす台紙画像データを関連付けて，可搬型記憶媒体に記憶する記憶制御手段を備えていることを特徴とする。
【０００７】
この発明はファイリング方法も提供している。すなわちこの発明によるファイリング方法は，画像を表わす画像データを入力し，入力した画像データにより表わされる画像を貼り付けるべき複数種類の台紙の画像を表わす台紙画像データをあらかじめ記憶しておき，あらかじめ記憶されている台紙画像データによって表わされる複数種類の台紙画像のうち所望の台紙画像を選択し，入力した上記画像データおよび選択された上記台紙の画像を表わす台紙画像データを互いに関連付けて，可搬型記憶媒体に記憶することを特徴とする。
【０００８】
この発明によると，上記画像データと上記台紙画像データとが関連付けられて上記可搬型記憶媒体に記憶される。相互に関連付けられかつ可搬型記憶媒体に記憶された画像データと台紙画像データとは次の再生装置または再生方法によって再生される。
【０００９】
再生装置は，上記可搬型記憶媒体に記憶された上記画像データおよび上記台紙画像データを読出す読出手段，ならびに上記読出手段によって読出された上記台紙画像データによって表わされる台紙画像に，上記読出手段によって読出された上記画像データによって表わされる画像を貼り付けてなるバーチャル・アルルバム画像を表わすデータを合成して出力する手段を備える。
【００１０】
再生方法は，上記可搬型記憶媒体に記憶された上記画像データおよび上記台紙画像データを読出し，読出された上記台紙画像データにより表わされる台紙画像に，読出された上記画像データにより表わされる画像を貼り付けてなるバーチャル・アルバム画像を表わすデータを合成する。
【００１１】
複数の画像の画像データが一つの台紙画像の台紙画像データに関連付けられている場合に，複数の画像を一つの台紙画像に貼り付けてなるバーチャル・アルバム画像を表わすデータを合成する。
【００１２】
上記バーチャル・アルバム画像は，表示装置に表示することにより，またはプリンタを用いてプリントすることにより最終的に出力される。
【００１３】
ここでバーチャル・アルバムは一つの台紙画像とこれに合成された一または複数の画像とから構成されるもの，および複数の台紙画像（同一台紙画像でも異なるものでもよい）と各台紙画像に合成された一または複数の画像とから構成されるものの両方を含む概念である。
【００１４】
上記の再生装置は単独で構成してもよいし，ファイリング・システムの一部を構成するものでもよい。
【００１５】
この発明によると，可搬型記憶媒体に画像データと台紙画像データとが関連付けて記憶される。複数の画像データが台紙画像を中心にまとめられ整理されることになる。上記画像データによって表わされる画像が，上記台紙画像データによって表わされる台紙画像に貼り付けられた状態で表示され，またはプリントされる。いわば，これはアルバムを作成することに擬制することができる。
【００１６】
画像を貼り付ける台紙画像の選択は，画像の種類に応じて自動的に行うこともできるし，ユーザまたはオペレータが選択し，選択した台紙画像の種類を入力するようにしてもよい。いずれにしても，画像に適した台紙画像が選択され，観賞に耐えうるバーチャル・アルバムの生成が可能である。
【００１７】
現像後のフイルムなどの可視画像媒体を撮像する場合には，可視画像媒体を読取る可視画像媒体読取手段により画像データが入力され，画像データが記憶されたメモリ・カード，光ディスクなどのディジタル媒体から画像データを読取る場合にはその画像データ読取手段により画像データが入力される。
【００１８】
コンピュータ利用機器での取扱いを考慮した新しいタイプの写真フイルムも検討されている。この写真フイルムはフイルムの両側にそってデータを磁気的に記録できる情報記録部が設けられているものである。この情報記録部には写真撮影に関するフイルムおよびフレーム（駒）の情報が記録される。このようなフイルムに現われている駒の画像を読取ってその画像データをファイリング・システムに入力してもよい。この場合には，情報記録部に記録された情報にもとづいて台紙画像が自動的に選択され，選択された台紙画像を表わす台紙画像データが上記画像データに関連付けられて上記可搬型記憶媒体に記憶される。
【００１９】
上記可搬型記憶媒体に，画像データおよび台紙画像データを記憶する容量があるかどうかを判定し，記憶容量があると判定されたときに，上記入力した画像データおよび選択された台紙画像を表わす台紙画像データを，上記可搬型記憶媒体に記憶してもよい。
【００２０】
これにより，上記画像データおよび上記装飾画像データを上記可搬型記憶媒体に記憶させる際に，上記可搬型記憶媒体の残容量不足により記憶することができないといったトラブルを回避することができる。
【００２１】
上記可搬型記憶媒体が大容量記憶媒体かどうかを判定し，大容量記憶媒体であると判定されたときに，上記入力した画像データおよび上記選択された台紙画像を表わす台紙画像データを，上記大容量の可搬型記憶媒体に記憶してもよい。
【００２２】
フロッピー・ディスクのような可搬型記憶媒体は容量が比較的少ない。このため多数の画像を表わす画像データを記憶することはできない。そこで，可搬型記憶媒体が大容量の記憶媒体かどうかをあらかじめ判定し，大容量の記憶媒体であるときのみ上記画像データおよび上記装飾画像データを可搬型記憶媒体に記憶する。これにより，より多量の画像データの保存が可能となる。
【００２３】
多数の画像がある場合には，これらの画像のうちの所望の画像を表わす画像データのみを上記可搬型記憶媒体に記憶できることが好ましい。入力した画像データによって表わされるすべての画像の縮小画像の一覧を表示し，表示された縮小画像のうち所望の画像をユーザに指定させ，指定された画像を表わす画像データを上記台紙画像データと関連づけて上記可搬型記憶媒体に記憶する。これにより可搬型記憶媒体の残容量が少ない場合であっても，選択された所望の上記画像データを上記可搬型記憶媒体に記憶することができる。
【００２４】
また画像データをデータ圧縮し，圧縮された画像データを上記可搬型記憶媒体に記憶してもよい。この場合には再生時には圧縮画像データをデータ伸張することとなろう。
【００２５】
上記画像データ入力手段によって入力された画像データによって表わされる画像を装飾する装飾画像を表わす装飾画像データをあらかじめ設定しておく。入力された上記画像データおよび選択された上記台紙の画像を表わす台紙画像データに，所定の装飾画像を表わす上記装飾画像データを関連付けて上記可搬型記憶媒体に記憶してもよい。装飾画像の選択は自動的に行うこともできるし，ユーザまたはオペレータによる指定にしたがってもよい。いずれにしても，画像に適した装飾画像が選択されるであろう。
【００２６】
音データをあらかじめ設定しておく。設定されている音データの中から適切なものを選択し，上記画像データおよび装飾画像データに，上記選択した音を表わす音データを関連付けて，上記可搬型記憶媒体に記憶してもよい。音データとはＢＧＭ（バック・グランド・ミュージック）およびナレーションのような音声を表わすデータを含む。音データを自動的に選択するように構成してもよいし，ユーザのまたはオペレータに選択させてもよい。いずれにしても画像にマッチした音が選ばれるであろう。
【００２７】
これらの場合には，再生装置に装飾画像データまたは音データの再生手段が設けられることとなろう。
【００２８】
上記においては，所望の台紙画像を選択し，選択された台紙画像を表わす装飾画像データを画像データとともに上記可搬型記憶媒体に記憶しているが，選択せずにあらかじめ定められた台紙画像データを上記可搬型記憶媒体に記憶してもよい。
【００２９】
第１の可搬型記憶媒体に画像を表わす画像データを記憶し，上記第１の可搬型記憶媒体に記憶されている上記画像データによって表わされる画像を貼り付けるべき台紙画像を表わす台紙画像データを，第２の記憶媒体に記憶してもよい。この場合には，上記第１の可搬型記憶媒体に記憶されている上記画像データおよび上記第２の記憶媒体に記憶されている上記台紙画像データをそれぞれ読出し，読出された上記台紙画像データにより表わされる台紙画像に，読取られた上記画像データにより表わされる画像を貼り付けてなるバーチャル・アルバム画像を表わすデータを合成することとなろう。
【００３０】
上記のファイリング・システムまたは方法においては台紙画像データを選択し，選択した台紙画像データと入力した画像データと関連付けて可搬型記憶媒体に記憶しているが，あらかじめ定められた台紙画像データを入力した画像データと関連付けて可搬型記憶媒体に記憶してもよい。
【００３１】
さらに画像と台紙画像または装飾画像との関連付けを変更してもよい。その場合には変更した関連付けを記憶手段に記憶しておくこととなろう。
【００３２】
【実施例の説明】
（１）  情報記録部付写真フイルム
従来タイプの写真フイルム（いわゆる３５ｍｍフイルム）は１２駒，２４駒または３６駒撮りのロール・フイルムである。この写真フイルムは現像後は６駒の長さに切断され，一般にシースに格納されて保存される。従来タイプの写真フイルムには撮影した被写体の画像およびその駒番号が記録されるだけである。被写体の画像に関する情報（たとえば画像を端的に表わす情報，撮影日，シャッタ・スピードなど）は駒番号を除いては記録されない。このため駒番号以外の，被写体の画像に関する情報はシースに書込むか，別の紙などにメモしておかなければならない。従来の写真フイルムには記録できない画像を端的に表わす情報，撮影日，シャッタ・スピード等の被写体の画像に関する情報を記録することのできる新しいタイプの写真フイルムが開発されている。この実施例によるファイリング・システムでは好ましくはこの新しいタイプの写真フイルムが用いられる。もちろん従来のタイプの写真フイルムを用いることができるのはいうまでもない。
【００３３】
図１は新しいタイプの写真フイルム，すなわち情報記録部付写真フイルムを示している。
【００３４】
写真フイルム１は，パトローネ５内に回転自在に設けられたスプール（図示略）にその端末が固定されている。図１は写真フイルム１がパトローネ５から引出された状態を示している。
【００３５】
写真フイルム１の先端部にはカメラの写真フイルム巻取軸の一部に係合させるためのいくつかのパーフォレーション２ａが形成されている。
【００３６】
先端部の適当な長さの部分を除いて，写真フイルム１の全体には画像を記録する領域４がある（この領域は写真撮影によって形成されるもので，図１では説明の便宜のために鎖線で示されている）。また画像記録領域４の下側に細長い帯状の光学情報記録部６が設けられている（この領域６も露光されることによって形成されるもので，図１では説明の便宜のために鎖線で示されている）。
【００３７】
画像記録領域４の両側に細長い帯状の情報記録部３ｂ，３ｄが設けられている。一方の情報記録部３ｄは光学情報記録部６と重なっている。また，他方の情報記録部３ｂの間に，各画像記録領域４に対応して１つずつパーフォレーション２ｂが形成されている。このパーフォレーション２ｂは主に画像記録領域４をカメラにおける結像位置に位置決めするために用いられる。
【００３８】
写真フイルム１の先端部分にもまた情報記録部３ａ，３ｃがその両側に設けられている。
【００３９】
情報記録部３ａ，３ｂ，３ｃおよび３ｄは一般には透明磁性体を塗布することにより形成される磁気記録層である。写真フイルム１の一側に設けられた情報記録部３ａおよび３ｂは一般にラボラトリィにおいて使用される。写真フイルム１の他側に設けられた情報記録部３ｃおよび３ｄは一般にユーザの入力に応じてまたはカメラが自動的に情報（データ）を記録するために用いられる。光学情報記録部６も一般にユーザまたはカメラが情報を記録するために用いられる。
【００４０】
先端部分の情報記録部（リーダ情報記録部）３ａおよび３ｃは１本のフイルム１に関する情報（フイルム情報）の記録のために用いられる。各画像記録領域４に対応して設けられた情報記録部（フレーム情報記録部）３ｂおよび３ｄは各領域４に記録された画像に関する情報（フレーム情報）の記録のために用いられる。光学情報記録部６はメーカ・コード等の情報を記録するものである。
【００４１】
一例を挙げると，ユーザが利用するリーダ情報記録部３ｃには，その写真フイルムを用いて撮影された画像全体が関係する包括的な情報が記録される。この情報をＩＸ１と呼ぶ。この実施例では情報ＩＸ１は必ずしも記録する必要はない。
【００４２】
ユーザが利用するフレーム情報記録部３ｄに記録される情報には，ユーザがカメラに入力するタイトル情報（タイトルとは，画像を端的に表わすものであり，たとえば「花の写真」，「動物の写真」，「子供達の写真」，「旅行」などである）と，カメラが自動的に記録する情報（たとえばその駒の画像を撮影するときに用いたシャッタ速度など）とが含まれる。これらの情報を情報ＩＸ２と呼ぶ。ユーザが入力する情報のみを情報ＩＸ２としてもよい。
【００４３】
図２は写真フイルムの情報記録部３ａ，３ｂ，３ｃおよび３ｄにおけるデータ配置（フォーマット）を示している。このデータ・フォーマットは情報ＩＸ１およびＩＸ２の両方に適用され，ＳＳ，ＶＥＲ，ＩＤ，ＬＮＧ，ＤＡＴＡ，ＬＣＲおよびＥＳが含まれる。
【００４４】
ＳＳはＳｔａｒｔ  Ｓｅｎｔｉｎａｌの略で，データ列の開始を表わすコードである。ＶＥＲは記録フォーマット（規格）のバージョンを示す。ＩＤは記録される情報の種類（ＩＸ１，ＩＸ２など）を表わす。ＬＮＧは次に続くデータの長さを示す。ＤＡＴＡは記録したい，または記録すべき情報を表わすデータである。ＬＣＲはＣＲＣチェック・コードである。ＥＳはＥｎｄ  Ｓｅｎｔｉｎａｌの略で，データ列の終了を表わすコードである。
【００４５】
このようなフォーマットのデータ列が一つの情報記録部３ａ，３ｂ，３ｃまたは３ｄに１または複数個設けられる。たとえば，フレーム情報記録部３ｄにはユーザが入力したデータを表わすデータ列と，カメラが書込むべきデータを表わすデータ列とが記録される。必要に応じて，信頼性を高めるために，情報記録部には同一のデータ列が並列に複数個記録される。
【００４６】
（２）  情報記録部付写真フイルム用カメラ
このような情報記録部付写真フイルムを取扱うことが可能なカメラの構成の一部が図３に示されている。この図では写真フイルムの情報記録部３ａ，３ｂ，３ｃおよび３ｄへの記録に関する構成が主に示され，撮像光学系等の構成については図示が省略されている。
【００４７】
パトローネ５はカメラ内のフォークに回転自在に支持される。パトローネ５から引出された写真フイルム１の先端部は写真フイルム巻取軸１６に巻付けれる。パーフォレーション２ｂを検出する光電センサ１２が設けられており，この検出信号は制御装置１０に与えられる。制御装置１０はモータ１４を駆動して巻取軸１６を回転させて写真フイルム１を順次巻取らせるとともに，光電センサ１２の検出信号に基づいて画像記録領域４が結像位置にくるように写真フイルム１を撮影ごとに位置決めする。
【００４８】
ユーザ用の磁気情報記録部３ｃ，３ｄに情報を記録するために磁気ヘッド１１が磁気情報記録部３ｃ，３ｄの走行路上に設けられている。写真フイルム１が巻取られる（走行する）過程で，制御装置１０の制御の下に，ヘッド駆動回路１３を介して，入力装置１５から入力された情報または制御装置１０が生成した情報が，磁気情報記録部３ｃ，３ｄに磁気記録されることになる。
【００４９】
入力装置１５は数字や文字を入力するものである。たとえば，入力装置１５は数値キー，アルファベット・キー等を含む。必要に応じて入力装置１５は表示装置を含み，キー入力された情報が表示装置に表示される。キーの数を少なくするために，一つのキーを押すごとに表示される文字が変化し，ユーザが表示された文字を選択できる構成とすることもできる。
【００５０】
この実施例ではタイトル情報，すなわち情報ＩＸ２の種類があらかじめ定められており，ユーザがその中から所望のものを選択する。情報ＩＸ２には９９種類あり，これらに０１〜９９のコードが割当てられている。たとえば，コード０１は花の写真，コード０２は動物の写真等である。したがって，フレーム情報記録部３ｄにはユーザが選択したコードが記録されれば足りる。もちろん，入力装置４５から入力された文字コードまたは数字コードをフレーム情報記録部３ｄに記録してもよい。
【００５１】
（３）  フイルム・スキャナ
図４は情報記録部付写真フイルム１に記録された画像および情報を読取るフイルム・スキャナの概略構成を示している。
【００５２】
写真フイルム１はパトローネ５から引出され，写真フイルム巻取軸２４に巻取られる。写真フイルム１はフイルム給送機構（図示略）によって所定速度で搬送される。
【００５３】
光源２１からの光が搬送されるフイルム１に照射される。フイルム１の画像記録領域に表わされた画像を表わす光はレンズ系２２によってＣＣＤライン・センサ２３上に結像する。ＣＣＤライン・センサ２３は写真フイルム１の長手方向と直交する方向に配列された多数の（たとえば２０４８個）の光電変換素子を含む。フイルム１が送られる過程でＣＣＤライン・センサ２３から一ライン分ずつの映像信号が画像処理装置２６に与えられる。フイルム１が一画像記録領域の長さ送られると，一駒分の画像データが得られることになる（たとえば最も細かいピッチで送られたときに画像記録領域４について２０４８×３０７２画素の解像度の画像データが得られる）。
【００５４】
画像処理装置２６はＣＣＤライン・センサ２３から得られる映像信号（またはＡ／Ｄ変換後のディジタル画像データ）を処理する信号処理回路（ホワイト・バランス回路，ガンマ補正回路，ネガ／ポジ反転回路等のうちの必要なものを含む），Ａ／Ｄ変換回路等から構成される。写真フイルム１が最も細かいピッチで送られたときに得られるディジタル画像データを原ディジタル画像データという。原画像データは後述のコンピュータ・システム３０に与えられる。
【００５５】
原画像データはプリント用のものである。この原画像データを縦  １／２  ，横  １／２  に縮小することによりいわゆるハイビジョン用の画像データが得られる。このハイビジョン用画像データをさらに縦  １／２  ，横  １／２  に縮小することにより標準画像データが得られる。この標準画像データをさらに縦  １／８  ，横  １／８  に縮小することにより縮小画像データが得られる。画像の縮小は間引き処理または複数の隣接画素ごとに平均化処理することにより行なわれる。この縮小処理はコンピュータ・システム３０により行なわれる。これらの原（プリント用）ディジタル画像データ，ハイビジョン用画像データ，標準画像データおよび縮小ディジタル画像データは，必要に応じて，データ圧縮された後にユーザ用ディスクに記録される。フイルム・スキャナにおいてフイルム１の送りピッチを変えることにより解像度の異なる画像データを得ることもできる。
【００５６】
図４に示す読取装置において，写真フイルム１の搬送路にはその情報記録部３ｃ，３ｄが通過する位置に磁気ヘッド２５が設けられている。磁気ヘッド２５はフイルム１が送られる過程で，情報記録部３ｃ，３ｄに磁気記録されている情報を読取り，その読取信号を磁気読取回路２７に送る。磁気読取回路２７は読取信号に必要な処理（復調，エンコード等）を加えて後述のコンピュータ・システム３０に与える。
【００５７】
（４）  ファイリング・システム
図５はファイリング・システムの電気的構成を示している。
【００５８】
このファイリング・システムは種々の場所に設置される。たとえば，フイルム現像所（店），写真店，デパート，コンビニエンス・ストア，その他の店舗等である。このファイリング・システムは一般的には顧客（ユーザ）によって操作される。フイルム現像所等のオペレータが常駐している場所ではファイリング・システムをすべてオペレータが操作してもよい。
【００５９】
このファイリング・システムが取扱う媒体には大別して２種類ある。その一は，写真フイルム，印画紙にプリントされた写真，印刷物（ポスター，カレンダ等の写真）などの画像を可視的に表わすものである。これらを可視画像媒体という。その二は光ディスク，光磁気ディスク，磁気ディスク，メモリ・カード等の画像を表わすディジタル・データを記録（また記憶）するものである。これらをディジタル媒体という。
【００６０】
このファイリング・システムは大別して２つの機能をもつ。それはファイリング処理（サービス）とプリント処理（サービス）である。
【００６１】
ファイリング処理では入力媒体として可視画像媒体およびメモリ・カードが用いられる。出力媒体として光ディスク，光磁気ディスクまたは磁気ディスクが用いられる。
【００６２】
ファイリング処理は，少なくとも被写体画像データおよびこの被写体画像データによって表わされる被写体画像を貼り付けるための台紙を表わす台紙画像データを出力媒体に記録する処理である。被写体画像データおよび台紙画像データが記録された出力媒体が，後述する再生装置において再生されることにより台紙画像上に被写体画像が貼り付けられた１ページまたは複数ページのバーチャル・アルバムが表示（またはプリント）される。このように台紙画像上に被写体画像が貼り付けられた画像を，この実施例ではバーチャル・アルバムという。台紙画像上に貼り付けられる画像の枚数は１枚でもよいし，複数枚でもよい。
【００６３】
ファイリング処理においては，入力媒体としての可視画像媒体に現われている可視画像がスキャナによって読取られる。スキャナから出力される画像信号はディジタル画像データに変換され，必要に応じてデータ圧縮処理などが施されたのち所定のフォーマットで出力媒体としての光ディスク，光磁気ディスクまたは磁気ディスクに記録される。入力媒体としてのメモリ・カードに記憶されている画像データはメモリ・カード・リーダによって読出され，所定のフォーマットで出力媒体としての光ディスク，光磁気ディスクまたは磁気ディスクに記録される。
【００６４】
さらにこの実施例のファイリング処理においては，被写体画像データおよび記録される被写体画像データによって表わされる被写体画像に合った台紙を表わす台紙画像データに加えて被写体画像を装飾する装飾画像データおよびＢＧＭ（またはナレーション）を表わすＢＧＭデータが出力媒体に記録される。もっとも，被写体画像データおよび台紙画像データが出力媒体に記録されればバーチャル・アルバムを作成できるので，装飾画像データおよびＢＧＭデータを必ずしも出力媒体に記録する必要はない。
【００６５】
プリント処理では入力媒体として光ディスク，光磁気ディスク，磁気ディスクを含むディジタル媒体および可視画像媒体が用いられる。出力媒体はプリントされた写真である。入力媒体としてのディジタル媒体からプリントすべき駒の画像データが読出される。この画像データは写真プリンタに与えられ，画像データによって表わされる画像が記録紙にプリントされる。入力媒体として写真フイルムが用いられた場合には，このフイルム上に現われている画像（ネガまたはポジ）が焼付装置によって印画紙上に焼付けられる。またはフイルム上の画像がフイルム・スキャナによって読取られる。フイルム・スキャナから出力される画像信号が（必要に応じてディジタル画像データに変換されたのち）写真プリンタに与えられ，プリントされた写真が得られる。入力媒体が印刷物の場合にも同じように，印刷物上に表わされた画像がスキャナによって読取られる。スキャナの出力画像信号が写真プリンタに与えられる。
【００６６】
この実施例では主にファイリング処理について詳述する。
【００６７】
ファイリング・システムはコンピュータ・システム３０を含んでいる。コンピュータ・システム３０はコンピュータ３１，操作装置３２，ディスク・ドライバ３３，再生および表示制御回路３４ならびに表示装置３５を備えている。コンピュータ３１はコンピュータ・システム３０のみならずファイリング・システム全体の動作を制御するものである。コンピュータ３１にはメモリ（半導体メモリ，フロッピィ・ディスク，ハード・ディスク等），その他の周辺装置が含まれる。
【００６８】
操作装置３２はこのファイリング・システムをオペレータまたはユーザが使用するときに各種の指令，データ等を入力するものである。
【００６９】
ディスク・ドライバ３３はハード・ディスク，光ディスクまたは光磁気ディスクにデータを書込むまたはこれらのディスクからデータを読出すものである。ディスクにはファイリング・システムを動作させるためのプログラムがあらかじめ記録されている。ディスク・ドライバ３３はディスクからプログラムを読取りコンピュータ３１に与える。ディスク・ドライバ３３はまた後述するフイルム・スキャナ４１，４２等が読取った画像データをディスクに一時記憶する。ハード・ディスクと光ディスクとが用いられる場合には，これらの専用のディスク・ドライバが２台設けられることになる。さらにハード・ディスクには，ファイリング処理において出力媒体に記録する各種台紙画像データ，装飾画像データおよびＢＧＭデータが記憶されている。
【００７０】
表示装置３５は再生および表示制御回路３４によって制御される。表示装置３５の表示面上にはタッチパネルが形成されている。表示装置３５の表示面上に，操作を誘導するガイダンス（イラスト，文などよりなる）と，タッチすべき一または複数の区画とが表示される。各区画内にはキーの機能（数値を含む）が表示される。これにより，機能キーおよび数値キーが実現される。オペレータまたはユーザが指でタッチした区画の位置を表わす入力信号がコンピュータ３１に与えられる。このタッチパネルを利用してユーザは処理（サービス）の種類の選択（ファイリング処理かプリント処理か），入力媒体の指定，出力媒体に記録すべきまたはプリントすべき駒の指定等を行う。
【００７１】
ファイリング・システムにはさらに，フイルム・スキャナ４１，４２，フラット・ベッド・スキャナ４３，メモリ・カード・リーダ４４，フロッピー・ディスク装置４５，光ディスク装置４６および写真プリンタ４７が設けられ，コンピュータ・システム３１とＳＣＳＩ（Ｓｍａｌｌ  Ｃｏｍｐｕｔｅｒ  Ｓｙｓｔｅｍ  Ｉｎｔｅｒｆａｃｅ  ）バスを介して接続されている。
【００７２】
フイルム・スキャナ４１は上述した図４に示す構成をもつ。フイルム・スキャナ４１により，新写真フイルムの画像記録領域４上に現われている画像（ネガまたはポジ画像）が読取られ，その画像を表わす画像信号（画像データ）が出力されるとともに，新フイルムの情報記録部３ａ，３ｂ，３ｃおよび３ｄならびに６に記録されている情報が読取られ，その情報を表わすデータが出力される。ディジタル画像データおよび情報記録部から読取られた情報を表わすデータはコンピュータ・システム３０に与えられ，そのメモリに一旦記憶される。
【００７３】
フイルム・スキャナ４２は従来の写真フイルム上に現われている画像（ネガまたはポジ画像）を読取り，この画像を表わす画像信号（画像データ）を出力するものであり，光源，撮像光学系，ライン・センサ（または二次元撮像素子），フイルムまたはライン・センサの移送機構，信号処理回路，Ａ／Ｄ変換回路等を含む。従来の写真フイルムから得られる画像データも新写真フイルムから得られる画像データと同程度の画素数，階調数をもつ。
【００７４】
フラット・ベッド・スキャナ４３はカタログ，写真，印刷物など（これらを反射原稿という）に表わされた絵，写真，図形，文字等（以下，これらを総称して画像という）を読取り，読取った画像を表わす画像信号（画像データ）を出力するものである。このスキャナ４３はフラット・ベッドを備え，このフラット・ベッド上に読取るべき反射原稿が置かれる。光源からの光が反射原稿に投射され，反射原稿からの反射光がライン・センサまたは二次元撮像素子に入力する。ライン・センサまたは撮像素子から出力される映像信号は所定の処理ののちディジタル画像データとして出力される。
【００７５】
メモリ・カード・リーダ４４はファイリング処理において入力媒体としてのメモリ・カードから画像データを読出すものである。
【００７６】
フロッピー・ディスク装置４５は，ファイリング処理において出力媒体としてのフロッピー・ディスク（磁気ディスク）に画像データ，その他のデータを書込むとともに，プリント処理においてフロッピー・ディスクから画像データ，その他のデータを読出すものである。用いられるフロッピー・ディスクに通常のフロッピー・ディスクと高密度のフロッピー・ディスクがある場合には，これらのフロッピー・ディスクの種類に合わせて２台のフロッピー・ディクス装置が設けられる。
【００７７】
光ディスク装置４６は出力媒体としての光ディスク（光磁気ディスクを含む）に画像データを含むデータの書込み，または光ディスクからの読出し，データの書換え等を行うものである。
【００７８】
ファイリング・システムにはフロッピー・ディスク装置４５は必ずしも必要ではない。
【００７９】
写真プリンタ４７はプリント処理において用いられ，与えられる画像データによって表わされる画像をプリントする。
【００８０】
（５）  ハード・ディスクのファイル構造
図６から図１２は，ファイリング・システムに含まれるハード・ディスクのファイル構造（データ構造）を示している。このファイル構造は論理的に示すものであり，物理的な構造を示しているものではない。図６から図１２に示す各種データはひとかたまりの連続した状態になくとも，分散した状態にあってもよい。またファイリング・システムに複数枚のハード・ディスクがある場合には１枚のハード・ディスク上に図６から図１２に示すすべてのデータが存在しなくとも，複数枚のハード・ディスク上に分散して記録されていてもよい。
【００８１】
図６を参照して，ハード・ディスクにはこのハード・ディスクに記録されたすべてのデータを管理するディレクトリ管理領域，タイトル・コード，台紙画像データ名，装飾画像データのディレクトリ名およびＢＧＭデータ名との対応関係を一覧表として記録している部品情報テーブル・ファイル，台紙画像データを記録している台紙画像データ記録領域，装飾画像データを記録している装飾画像データ記録領域，ＢＧＭデータを記録しているＢＧＭデータ記録領域および未使用領域がある。
【００８２】
図７および図８にディレクトリ管理領域の詳細が示されている。図７および図８においてはこの実施例のファイリング・システムに関連したデータのみが示されている。
【００８３】
この実施例のファイリング・システムでは「００」〜「９９」までの１００  種類のタイトル・コードに対応した台紙画像データ，装飾画像データおよびＢＧＭデータがハード・ディスクに記録されている。
【００８４】
ディレクトリ管理領域においては，ルート・ディレクトリ「ＲＯＯＴ」に複数のサブ・ディレクトリがある。この複数のサブ・ディレクトリのうちの１つのサブ・ディレクトリがサブ・ディレクトリ「ＲＥＳ」であり，このサブ・ディレクトリ「ＲＥＳ」がこの実施例におけるファイリング・システムに特有のデータを格納するものである（図７においては複数のサブ・ディレクトリのうちサブ・ディレクトリ「ＲＥＳ」が示されている）。
【００８５】
サブ・ディレクトリ「ＲＥＳ」には部品情報テーブル・ファイル（ＶＡ  ＴＡＢＬＥ．ＤＡＴ）へのパス（パスは各データが格納されている記憶場所をコンピュータがアクセスするのに必要な情報である），台紙画像データへのパスが格納されているディレクトリ「ＷＰＦ」，装飾画像データ群が格納されているディレクトリ「ＤＥＣＯ」およびＢＧＭデータへのパスが格納されているディレクトリ「ＢＧＭ」が含まれている。
【００８６】
ディレクトリ「ＷＰＦ」には，タイトル・コード「００」〜「９９」に対応する台紙画像データ（ＷＰＦ００．ＢＭＰ〜ＷＰＦ９９．ＢＭＰ）へのパスが格納されている。ディレクトリ「ＤＥＣＯ」には，装飾データ群が格納されているディレクトリ「ＤＥＣＯ００」〜「ＤＥＣＯ９９」がある。図８に示すように，ディレクトリ「ＤＥＣＯ００」〜「ＤＥＣＯ９９」にはタイトル・コード「００」〜「９９」に対応する装飾画像データへのパスが格納されている。装飾画像データは，各タイトル・コードに対応してｎｎ個ある。このため，各装飾画像データに対応して，ｎｎ個の装飾画像データへのパスがディレクトリ管理領域に記憶されている。たとえばタイトル・コード「００」に対応する装飾画像データについては第１の装飾画像データ（ＤＥＣＯ０００１．ＢＭＰ）へのパスから第ｎｎの装飾画像データ（ＤＥＣＯ００ｎｎ．ＢＭＰ）へのパスが記憶されている。ディレクトリ「ＢＧＭ」には，タイトル・コード「００」〜「９９」に対応するＢＧＭデータ（ＢＧＭ００．ＭＩＤ〜ＢＧＭ９９．ＭＩＤ）へのパスが格納されている。
【００８７】
図９に部品情報テーブル・ファイルの詳細が示されている。
【００８８】
部品情報テーブル・ファイルには「００」〜「９９」まで１００  種類のタイトル・コードが記録されている。このタイトル・コード「００」〜「９９」に対応して，台紙画像データ名，装飾画像ディレクトリ名およびＢＧＭデータ名が記録されている。必要であれは，タイトル・コードによって特定されるタイトル情報も記憶してもよい。したがって，タイトル・コードによって台紙画像データ，装飾画像データ，およびＢＧＭが特定される。
【００８９】
図１０に台紙画像データ記録領域の詳細が示されている。
【００９０】
台紙画像データ記録領域には，タイトル・コード「００」〜「９９」に対応した１００  種類のデータ名「ＷＰＦ００．ＢＭＰ」の台紙画像データ〜データ名「ＷＰＦ９９．ＢＭＰ」の台紙画像データが記録されている。
【００９１】
図１１に装飾画像データ記録領域の詳細が示されている。
【００９２】
装飾画像データ記録領域には，タイトル・コード「００」〜「９９」に対応した１００  組の装飾画像データが記録されている。各タイトル・コードに対応した装飾画像データには，ｎｎ個の種類の装飾画像データがある。たとえばタイトル・コード「００」に対応してデータ名「ＤＥＣＯ０００１．ＢＭＰ」の装飾画像データ〜データ名「ＤＥＣＯ００ｎｎ．ＢＭＰ」の装飾画像データのｎｎ種類の装飾画像データが記録されている。
【００９３】
図１２にＢＧＭデータ記録領域の詳細が示されている。
【００９４】
ＢＧＭデータ記録領域には，タイトル・コードが「００」〜「９９」に対応した１００  種類の，データ名「ＢＧＭ００．ＭＩＤ」のＢＧＭデータ〜データ名「ＢＧＭ９９．ＭＩＤ」のＢＧＭデータが記録されている。
【００９５】
ファイリング・システムに含まれるハード・ディスクが図６〜図１２に示すファイル構造を有していることにより，タイトル・コードに対応した台紙画像データ，装飾画像データおよびＢＧＭデータを読取ることができる。たとえば，新写真フイルムの情報記録部３ｄにタイトル・コードが記録されていると，そのタイトル・コードが読取られる。タイトル・コードが読取られると，ハード・ディスクのディレクトリ管理領域が参照され，部品情報テーブル・ファイルへのパスが読取られる。この部品情報テーブル・ファイルへのパスにより部品情報テーブル・ファイルの記憶場所が分かり，部品情報テーブル・ファイルの参照ができる。部品情報テーブル・ファイルを参照するとタイトル・コードに対応した台紙画像データのデータ名，装飾画像データのディレクトリ名およびＢＧＭデータのデータ名が分る。これらのデータ名およびディレクトリ名が分ると，再びディレクトリ管理領域が参照され，タイトル・コードに対応した台紙画像データ，装飾画像データおよびＢＧＭデータのパスが読取られる。読取られたパスから台紙画像データ，装飾画像データおよびＢＧＭデータの記録場所が分かり，タイトル・コードに対応した台紙画像データ，装飾画像データおよびＢＧＭデータがハード・ディスクから読取られる（図１３参照）。
【００９６】
（６）  ファイリング・システムにおける各種処理
図１４から図１７はファイリング・システムにおけるファイリング処理等を含む各種処理の処理手順を示すフローチャートである。図１８から図３１はファイリング・システムの表示装置３５に表示される画面の一例を示している。
【００９７】
▲１▼暗証番号の設定
この実施例によるファイリング・システムにおいては暗証番号をメモリにあらかじめ記憶しておくことにより，メンテナンス・マンに暗証番号を入力させ入力した暗証番号が，メモリに記憶されている暗証番号と一致した場合にファイリング・システムにおける各種処理を中止し，各種処理の変更などを行なう所定の原画面を表示装置３５に表示させることができる。暗証番号の設定はメンテナンス・マンによって行なわれる。暗証番号の設定については，正確を期するために１回目の暗証番号入力と２回目の暗証入力と２回行なわれる。この暗証番号の設定について述べる。
【００９８】
初期状態においては，図１８に示すようなスタート画面が表示装置３５に表示される（ステップ１２１  ）。スタート画面には区画ＡＳ１〜ＡＳ５が含まれている。メンテナンス・マンの指が区画ＡＳ１にタッチすると，後述する各種サービス処理（ファイリング・サービス，プリント・サービスなど）に移行する。メンテナンス・マンの指が区画ＡＳ２にタッチすると，表示装置３５に表示される画像の色の調整などの各種メンテナンス処理に移行する。メンテナンス・マンの指が区画ＡＳ３にタッチすると，暗証番号設定処理に移行する。メンテナンス・マンの指が区画ＡＳ４にタッチすると，ＯＳメニュー表示画面に移行する。メンテナンス・マンの指が区画ＡＳ５にタッチすると，ファイリング・サービスの使用に対する料金徴収などのサービス管理処理に移行する。
【００９９】
暗証番号の設定のためにメンテナンス・マンの指が区画ＡＳ３をタッチする（ステップ１２２  ，１２３  でＹＥＳ  ）。メンテナンス・マンの指によって区画ＡＳ３がタッチされると表示装置３５には図１９に示す環境設定画面が表示される（ステップ１２４  ）。
【０１００】
環境設定画面には区画Ａ０１〜Ａ０４が含まれている。ファイリング・システムは同一種類の周辺機器であっても異なるメーカの周辺機器を接続することができる。たとえばＡ社製のフイルム・スキャナを接続することもできるし，Ｂ社製のフイルム・スキャナを接続することもできる。異なるメーカの周辺機器を接続する場合には，その周辺機器のメーカに応じた設定を行なう必要がある。このように周辺機器の設定を行なうためにメンテナンス・マンの指によってタッチされる区画がＡ０１である。メンテナンス・マンの指が区画Ａ０２にタッチすることにより，ファイリング・システムにおける各種処理を制限または設定する処理に移行する。メンテナンス・マンの指が区画Ａ０３にタッチすることにより，暗証番号設定処理に移行する。メンテナンス・マンの指が区画Ａ０４にタッチすることにより，図１０に示すスタート画面に戻る。
【０１０１】
暗証番号の設定のためにメンテナンス・マンの指によって区画Ａ０３がタッチされる（ステップ１２５  でＹＥＳ  ）。メンテナンス・マンの指によって区画Ａ０３がタッチされると，表示装置３５には図２０に示す暗証番号設定画面が表示される（ステップ１２６  ）。
【０１０２】
暗証番号設定画面には区画Ａ０５，Ａ０６およびＡ０７に加えて０〜１までの数値キー，暗証番号入力を促すメッセージが表示される。数値キーを用いて，メンテナンス・マンによって暗証番号が入力される（ステップ１２７  ）。暗証番号が入力されることに対応して区画Ａ０５にアスタリスクが表示されていく。区画Ａ０５にはアスタリスクが表示されるので，区画Ａ０５を他人が見ることにより暗証番号が他人に知られることを防止できる。メンテナンス・マンの指が区画Ａ０６にタッチするこにとより，入力した暗証番号を訂正することができる。メンテナンス・マンの指が区画Ａ０７にタッチすることにより，メンテナンス・マンが入力した暗証番号が確定する。
【０１０３】
数値キーを用いて，メンテナンス・マンによって暗証番号が入力され，かつメンテナンス・マンの指によって区画Ａ０７がタッチされ暗証番号が確定すると，図２１に示すように暗証番号再表示画面が表示される（ステップ１２８  ）。メンテナンス・マンにより，数値キーを用いて暗証番号が再入力される（ステップ１２９  ）。再入力された暗証番号が，すでに入力された暗証番号と同じ番号かどうかが判断される（ステップ１３０  ）。すでに入力された暗証番号と再入力された暗証番号とが同じ番号であると判断されると（ステップ１３０  でＹＥＳ  ），正当な暗証番号としてコンピュータ１１のメモリに記憶される（ステップ１３２  ）。これにより，表示装置３５の表示画面は図１８に示すスタート画面に戻る。すでに入力された暗証番号と再入力された暗証番号とが異なっていると（ステップ１３０  でＮＯ），表示装置３５の表示画面は図２２に示すように暗証番号の再入力を促す画面になる（ステップ１３１  ）。このメッセージにしたがってメンテナンス・マンにより，暗証番号の再設定が行なわれる（ステップ１２７  〜１３０  ）。
【０１０４】
▲２▼ファイリング処理
図１８に示すようなスタート画面が表示されている場合に（ステップ１２１  ），メンテナンス・マン（またはファイリング・システムが置かれる店のオペレータ）の指によって区画ＡＳ１がタッチされることにより，ファイリング処理に進む（ステップ１２３  でＮＯ，１４３でＹＥＳ  ）。
【０１０５】
ファイリング処理においては再生用のアプリケーション・ソフトウェアが記録されている出力媒体が用いられる。もちろんファイリング処理において出力媒体にアプリケーション・ソフトウェアを記録するようにしてもよい。
【０１０６】
ファイリング処理においては，入力媒体に記録されている画像のプリ・スキャニングと本スキャニングが行なわれる。プリ・スキャニングにより画像のラフな読取りが行なわれ表示装置３５に縮小画像が表示される。この縮小画像を見て出力媒体に記録する画像が選択される。選択された画像について本スキャニングが行なわれることにより，詳細な読取りが行なわれ，出力媒体に画像データが記録される。
【０１０７】
ファイリング・システムの表示装置３５の表示画面がスタート画面（図１８）にあるときにメンテナンス・マン（またはファイリング・システムが置かれる店のオペレータ）の指により区画ＡＳ１がタッチされると（ステップ１２３  でＮＯ，１４３  でＹＥＳ  ），表示装置３５の表示画面は図２３に示す一般サービス画面が表示される（ステップ１４４  ）。
【０１０８】
一般サービス画面には，処理を開始させるときにメンテナンス・マン（またはオペレータ）の指によってタッチされる区画Ａ０８と処理を終了させるときにメンテナンス・マン（またはオペレータ）の指によってタッチされる区画Ａ０９とが含まれている。メンテナンス・マン（またはオペレータ）の指によって区画Ａ０８がタッチされることにより図２４に示すようなサービス選択画面が表示される（ステップ１４５  でＹＥＳ  ，１４７  ）。
【０１０９】
このサービス選択画面には枠で囲まれた３つの区画Ａ１１，Ａ１２およびＡ１３が表示される。これらの区画Ａ１１，Ａ１２およびＡ１３のうち区画Ａ１１上をユーザがタッスすることによりファイリング処理が開始され，表示装置３５の画面は図２５に示すように入力媒体選択画面に切換わる（ステップ１２８  ，図１５ステップ５１）。
【０１１０】
図２４において区画Ａ１２は図５に示すファイリング・システムにおいてプリント処理を実行する場合にユーザによってタッチされる。区画Ａ１３はたとえば図５に示すファイリング・システムのメンテナンスを行なう場合にメンテナンス・マンによってタッチされる。区画Ａ１２または区画Ａ１３がタッチされることによりそれぞれの処理に適した画面に切換わるが，ファイリング処理とは関係ないのでこれ以上の説明を避ける。
【０１１１】
図２５を参照して入力媒体選択画面には枠で囲まれた区画Ａ２１，Ａ２２，Ａ２３，Ａ２４およびＡ２５が表示される。区画Ａ２１は入力媒体が従来のタイプの３５ｍｍ写真フイルムのときにユーザによってタッチされる区画であり，区画Ａ２２は入力媒体が反射原稿のときにユーザによってタッチされる区画であり，区画Ａ２３は入力媒体が新写真フイルムのときにユーザによってタッチされる区画であり，区画Ａ２４は入力媒体がメモリ・カードのときにユーザによってタッチされる区画であり，区画Ａ２５はそのほかの入力媒体のときにユーザによってタッチされる区画である。区画Ａ２１〜Ａ２５のうち入力媒体に合った区画がユーザによってタッチされる（ステップ５２）。フイルム・スキャナ４１もしくは４２，フラット・ベッド・スキャナ４３またはメモリ・カード・リーダ４４のうち入力媒体に適したものがユーザによって選択され，入力媒体が装着される。
【０１１２】
入力媒体選択画面による選択が終ると，表示装置３５の表示画面は図２６に示す出力媒体選択画面に切換わる（ステップ５３）。出力媒体選択画面では枠で囲まれた５つの区画Ａ３１，Ａ３２，Ａ３３，Ａ３４およびＡ３５が表示される。区画Ａ３１は出力媒体がフロッピー・ディスクのきにユーザによってタッチされる区画であり，区画Ａ３２は出力媒体が光磁気ディスクのときにユーザによってタッチされる区画であり，区画Ａ３３は出力媒体が光ディスクのときにユーザによってタッチされる区画であり，区画Ａ３４は出力媒体が高密度磁気ディスクのときにユーザによってタッチされる区画であり，区画Ａ２５はそのほかの出力媒体のときにユーザによってタッチされる区画である。区画Ａ３１〜Ａ３５のうちユーザが持参した出力媒体に合った区画がユーザによってタッチされる（ステップ５４）。フロッピー・ディスク装置４５または光ディスク装置４６のうち出力媒体に適したものがユーザによって選択され，出力媒体が装着される。
【０１１３】
出力媒体選択画面による選択が終ると，表示装置３５の表示画面は図２７に示す駒数入力画面に切換わる（ステップ５５）。駒数入力画面には区画Ａ４１およびＡ４２その他のメッセージが表示される。区画Ａ４１には数値キー，駒数の入力が終了したことにより押される矢印キー，駒数の指定を最初からやり直すためのキーが含まれている。区画Ａ４２には入力された駒数が表示される。
【０１１４】
区画Ａ４１に含まれている数値キーの画面上をユーザがタッチすることにより，出力媒体に記録される被写体画像データによって表わされる画像の駒数が入力される（ステップ５６）。入力された駒数が区画Ａ４２に表示される。またファイリング・システムにセットされた出力媒体の残容量が算出され，選択された駒数の画像を表わす被写体画像データに必要とするデータ量（および後述する台紙の画像の一般的なデータ量）が残っているかどうか判断される（ステップ５７）。駒数選択画面において入力された駒数の画像を表わす画像データおよび台紙の画像の一般的なデータ量を記憶できる容量が，ファイリング・システムにセットされた出力媒体に残っていなければユーザに駒数入力のやり直しを命じる指令が表示装置３５に表示される（ステップ５７でＮＯ）。この出力媒体に残容量があると（ステップ５７でＹＥＳ  ），入力媒体として選択された媒体に記録されているすべての画像がプリ・スキャニングされその画像の縮小画像を表わす縮小画像データが得られる。縮小画像データが表示装置３５に与えられ，図２８に示すように縮小画像が一覧表示される（ステップ５８）。
【０１１５】
図２８において縮小画像の一覧表示画面には，ユーザにタッチされることにより前ページに戻る区画Ａ４６および次ページに戻る区画Ａ４７が含まれている。これらの領域Ａ４６またはＡ４７が押されることにより所望の縮小画像が探し出される。
【０１１６】
つづいて入力媒体が新写真フイルムかどうかが判断される（ステップ５９）。入力媒体が新写真フイルムであれば（ステップ５９でＹＥＳ  ），新写真フイルムの情報記録部３ａ，３ｂ，３ｃおよび３ｄに記録されているＩＸ情報が読取られる（図１６ステップ６０）。ＩＸ情報の読取中にはその旨を表わす画面が表示装置３５に表示される。ＩＸ情報の読取中はユーザに待時間を与えることになるため，表示装置３５の表示画面には簡単なアニメーションなどを表示していもよい。さらに，読取られたＩＸ情報中にタイトル情報が含まれているかどうかが判断される（ステップ６２）。読取られたＩＸ情報中にタイトル情報が含まれていると（ステップ６２でＹＥＳ  ），そのタイトル情報がコンピュータ１１のメモリに一旦記録される（ステップ６３）。読取られたＩＸ情報中にタイトル情報が含まれていないと（ステップ６２でＮＯ），ステップ６３の処理はスキップされる。
【０１１７】
つづいて，図２８に示されている縮小画像の一覧表示を見ながら出力媒体に記録する被写体画像がユーザによって選択される（ステップ６４）。この選択は表示装置３５の表示画面に表示されている縮小画像上をユーザがタッチすことにより行なわれる。入力媒体が本スキャニングされ，ユーザによってタッチされた縮小画像に対応する画像が読取られる（ステップ６５）。この画像の読取処理中においては，図２９に示すように画像を取込中である旨が表示装置３５の表示画面に表示される。もちろんこのときも簡単なアニメーション表示をしてもよい。被写体画像データ（この画像データはプリント用の原ディジタル画像データ）はコンピュータ３１のメモリに一旦記憶される（ステップ６７）。被写体画像データはコンピュータ１１においてデータ圧縮が施される（ステップ６８）（またプリント用の原ディジタル画像データの縮小処理が行なわれ，ハイビジョン用画像データおよび縮小画像データも生成される）。生成されたこれらの画像データが出力媒体に記録される。
【０１１８】
さらに出力媒体が，光ディスクまたは光磁気ディスクの大容量媒体かどうかが判断される（テップ６９）。大容量媒体でなければ容量が少ないために，画像データに加えて台紙画像データ，装飾画像データ，ＢＧＭデータなどのデータを記録することができない。このため出力媒体が大容量媒体でなければ（ステップ６９でＮＯ），選択された被写体画像を表わす被写体画像データのみが出力媒体に記録される。選択された被写体画像のすべてについて出力媒体への被写体画像データの記録処理が終了すると，図３０に示すようにその旨が表示装置３５の表示画面に表示される（ステップ７３）。出力媒体への画像データの記録処理が終了し，図３０に示す終了を知らせる画面の画面上をユーザがタッチすると図２３に示す一般サービス開始画面に戻る。
【０１１９】
出力媒体が光磁気ディスクまたは光ディスクの大容量記録媒体である場合には（ステップ７０でＹＥＳ  ），入力媒体が新写真フイルムであったかどうかが再び判断される（ステップ７０）。入力媒体が新写真フイルムであれば（ステップ７０でＹＥＳ  ），コンピュータ３１のメモリにタイトル情報が記憶されているので（ステップ６３）そのタイトル情報がメモリから読出される。読出されたタイトル情報に対応した台紙画像データ，装飾画像データおよびＢＧＭデータがコンピュータ・システム３０のハード・ディスクから読出され，選択された被写体画像を表わす被写体画像データとともに出力媒体に記録される（ステップ７１）。選択された被写体画像ならびに選択された被写体画像のタイトル情報に対応した台紙画像データ，装飾画像データおよびＢＧＭデータのすべてについて出力媒体への記録処理が終了すると，図３０に示すようにその旨が表示装置３５の表示画面に表示される（ステップ７３）。入力媒体が新写真フイルムでなければ（ステップ６９でＮＯ），タイトル情報が無いのでどの台紙画像データ，装飾画像データおよびＢＧＭデータを出力媒体に記憶すればいいか判断できない。このため所定の台紙画像データ，装飾画像データおよびＢＧＭデータが出力媒体に記録される（ステップ７２）。この場合に出力媒体に記録される台紙画像データによって表わされる台紙の画像，装飾画像データによって表わされる装飾画像およびＢＧＭデータによって表わされるＢＧＭはどのような被写体画像にも適応する一般的なものとなろう。
【０１２０】
▲３▼暗証番号を用いたサービスの終了
暗証番号を用いたサービスの終了はメンテナンス・マンによって実行される。
【０１２１】
図２３に示す一般サービス画面が，表示装置３５の表示画面に表示されている場合に，メンテナンス・マンの指によって区画Ａ０９がタッチされると暗証番号を用いたサービスの終了処理に移行する。メンテナンス・マンの指によって区画Ａ０９がタッチされると（図１４ステップ１４６  でＹＥＳ  ），図３１に示す暗証番号入力画面が表示装置３５の表示画面に表示される（図１７ステップ１５３  ）。
【０１２２】
図３１を参照して暗証番号入力画面には区画Ａ０５，Ａ０６，Ａ０７およびＡ１０に加えて０〜１までの数値キー，暗証番号入力を促すメッセージが表示される。暗証番号が入力されることに対応して区画Ａ０５にアスタリスクが表示されていく。区画Ａ０６がメンテナンス・マンの指によってタッチされることにより，入力された暗証番号を訂正することができる。区画Ａ０７がメンテナンス・マンの指によってタッチされることにより入力された暗証番号が確定する。区画Ａ１０がメンテナンス・マンの指によってタッチされることによりサービスの終了処理は中止する。
【０１２３】
メンテナンス・マンによって入力された暗証番号が，コンピュータ１１のメモリに記憶されている暗証番号と一致すると（ステップ１５５  でＹＥＳ  ），サービスは終了し，表示装置３５の表示画面には原画面が表示される（ステップ１５７  ）。メンテナンス・マンによって入力された暗証番号が，コンピュータ１１のメモリに記憶されている暗証番号と一致しなければ（ステップ１５５  でＮＯ），表示装置３５の表示画面には図２２に示すように暗証番号が誤っている旨が表示される（ステップ１５６  ）。メンテナンス・マンによって入力された暗証番号が複数回連続して誤りとなると暗証番号の入力は禁止されることとなろう。
【０１２４】
▲４▼ファイリング処理変形例
図３２はファイリング・システムにおけるファイリング処理の変形例の一部を示すフローチャートである。図３２において図１４から図１７に示す処理と同一の処理には同一符号を付し説明を省略する。
【０１２５】
図１４から図１７に示す処理においては入力媒体が新写真フイルムでなかった場合にはあらかじめ定められたタイトル情報に応じた台紙画像データ，装飾画像データおよびＢＧＭデータが出力媒体に記録される。これに対して，図３２に示す処理においては入力媒体が新写真フイルムでなかった場合にはユーザによってタイトル情報が指定され，指定されたタイトル情報に応じた台紙画像データ，装飾画像データ，およびＢＧＭデータが出力媒体に記録される。
【０１２６】
図３２のステップ７０において入力媒体が新写真フイルムかどうかが判断され，新写真フイルムでなければ図３２に示すようなタイトル選択画面が表示装置３５の表示画面上に表示される（ステップ７４）。タイトル選択画面には区画Ａ５１およびＡ５２そのほかのメッセージが表示される。区画Ａ５１には数値キー，駒数の入力が終了したことにより押される矢印キー，駒数の指定を最初からやり直すためのキーが含まれている。区画Ａ５２には入力されたタイトル番号が表示される。ファイリング・システムが置かれている店頭には数字（コード）とタイトル情報とが対応した一覧表があり，ユーザはこの一覧表を見ながらタイトル選択画面上でタイトルを選択する（ステップ７５）。すなわち，出力媒体に記録される画像のそれぞれについて端的に表わすタイトル（例えば花の画像ならば「花」というタイトル）が一覧表から探し出され，このタイトルに対応したコードが見つけ出される。見つけ出されたコードが区画Ａ５１に含まれる数値キーを用いてユーザによって入力される。
【０１２７】
入力されたコードによって表わされるタイトルに対応した台紙画像のデータ，装飾画像のデータおよびＢＧＭデータがコンピュータ・システムのハード・ディスクから読み出され，被写体画像データとともに出力媒体に記録される。ユーザの好みに応じた台紙画像等を出力媒体に記録することができる。
【０１２８】
図３４はファイリング・システムにおけるファイリング処理の変形例の一部を示すフローチャートである。図３４において図１４から図１７および図３２に示す処理と同一の処理には同一符号を付し説明を省略する。
【０１２９】
図３２に示す処理においては入力媒体が新写真フイルムでなかった場合にはユーザによってタイトル情報が指定され指定されたタイトル情報に応じた台紙画像データ，装飾画像データおよびＢＧＭデータが出力媒体に記録される。これに対して図３４に示す処理においては入力媒体が新写真フイルムであった場合にも新写真フイルムに応じたタイトル情報の指定が可能なものである。
【０１３０】
図３４のステップ７０において，入力媒体が新写真フイルムであれば（ステップ７０でＹＥＳ  ），所定のタイトル選択画面が表示される（ステップ７７）。このタイトル選択画面は例えば，新写真フイルムに記録されているタイトル情報があればそのタイトル情報以外のタイトル情報の指定が可能な画面であろう。入力媒体が新写真フイルムでなければ（ステップ７０でＮＯ），図３３に示すタイトル選択画面が表示される（ステップ７４）。いずれにしても表示装置３５の表示画面に表示されたタイトル選択画面を用いてタイトル情報の選択が行なわれる（ステップ７５）。もっとも入力媒体が新写真フイルムか否かにかかわらず常に所定のタイトル選択画面を表示させるようにしてもよい。
【０１３１】
図３５はファイリング・システムにおけるファイリング処理の他の変形例の一部を示すフローチャートである。図３５においても図１４から図１７に示す処理と同一の処理には同一符号を付し説明を省略する。
【０１３２】
図１６のステップ７０〜７２に示す処理においては入力媒体が新写真フイルムであり，かつ磁気情報記録部３４にタイトル情報が記録されていればそのタイトル情報にしたがった台紙画像データ，装飾画像データおよび音声データが出力媒体に記録される。これに対し図３５に示す処理においては入力媒体が新写真フイルムであるか否かにかかわらず，出力媒体が光磁気ディスクまたは光ディスクの大容量記録媒体であれば常に所定のタイトル情報に対応した台紙画像データ，装飾画像データおよび音声画像データが記録される。
【０１３３】
（７）  出力媒体のファイル構造
図３６から図４１は出力媒体のファイル構造（データ構造）を示している。このファイル構造も論理的に示すものであり，物理的な構造を示しているものではない。したがって出力媒体に記録される各種データはひとかたまりの連続した状態になくとも，分散した状態にあってもよい。
【０１３４】
図３６を参照して出力媒体には，出力媒体に記録されたすべてのデータを管理するディレクトリ管理領域，再生用のアプリケーション・ソフトウェアが記録されたソフト記録領域，被写体画像を表わす被写体画像データ（原ディジタル画像データ，ハイビジョン用画像データおよび標準画像データ）が記録された画像記録領域，ＩＣＣプロファイル，台紙画像データ，装飾画像データおよびＢＧＭデータが記録されたアルバム部品記録領域および未使用領域がある。
【０１３５】
図３７から図４０にディレクトリ管理領域の詳細が示されている。図３７から図４０においてはこの実施例のファイリング・システムに関連したデータのみが示されている。
【０１３６】
図３７を参照してディレクトリ管理領域においては，ルート・ディレクトリ「ＲＯＯＴ」に複数のサブ・ディレクトリがある。この複数のサブ・ディレクトリのうちの１つのサブ・ディレクトリがサブ・ディレクトリ「ＤＦＳ」であり，このサブ・ディレクトリ「ＤＦＳ」がこの実施例におけるファイリング・システムによって記録されたデータのパス等を格納するものである（図３７においては複数のサブ・ディレクトリのうちサブ・ディレクトリ「ＤＦＳ」が示されている）。
【０１３７】
サブ・ディレクトリ「ＤＦＳ」には標準画像データのパスが格納されているディレクトリ「ＩＭＧ０１Ｂ」，ハイビジョン用画像データへのパスが格納されているディレクトリ「ＩＭＧ０４Ｂ」，プリント用画像データへのパスが格納されているディレクトリ「ＩＭＧ１６Ｂ」，ソフト記録領域へのパス（ＳＯＦＴへのパス）ならびに台紙画像データ，装飾画像データおよびＢＧＭデータの部品データへのパスが格納されているディレクトリが含まれている。図３６から図４１のファイル構造をもつ出力媒体においてはタイトル・コード「００」，「０１」および「０２」に対応する各種データが記録されている。部品データへのパスが格納されているディレクトリ「ＲＥＳ」にはタイトル・コード「００」，「０１」および「０２」に対応する部品データへのパスが記録されていることから，このディレクトリ構造をもつ出力媒体から３種類のバーチャル・アルバムを作成できることがわかる。
【０１３８】
標準画像データ，ハイビジョン用画像データおよびプリント用画像データについてはそれぞれタイトル・コード「００」，「０１」および「０２」に対応する画像データのパスが格納されている。これらの各画像データのパスは，そのタイトル・コードに対応して複数個記録されている（もちろん画像データは複数個でなく１個であってもよい）。このことは同一のタイトル・コードをもつ画像が複数個あることを示し，たとえば花というタイトルであればこの花の画像が複数個記録されていることを示す。
【０１３９】
図４１はアルバム部品記録領域の詳細を示している。
【０１４０】
アルバム部品記録領域には，タイトル・コード「００」に対応する台紙画像データ，装飾画像データおよびＢＧＭデータ，タイトル・コード「０１」に対応する台紙画像データ，装飾画像データ，およびＢＧＭデータならびにタイトル・コード「０２」に対応する台紙画像データ，装飾画像データおよびＢＧＭデータが記憶されている。装飾画像データについては，それぞれｎｎ個のデータが記憶されている。
【０１４１】
出力媒体が，図３６〜図４１に示すファイル構造を有していることにより，タイトル・コードに対応した標準画像データ，ハイビジョン用画像データ，およびプリント用画像データおよび台紙画像データ，装飾画像データならびにＢＧＭデータを読取ることができる。たとえば，タイトル・コードが特定されると，出力媒体のディレクトリ管理領域が参照され，各データへのパスが読取られる。このパスにより各データの記憶場所が分かり，各データの読取りが可能となる。
【０１４２】
このように，標準画像データ，ハイビジョン用画像データ，およびプリント用画像データおよび台紙画像データ，装飾画像データならびにＢＧＭデータはタイトル・コードによって互いに関連付けられている。
【０１４３】
（８）  再生装置
図４２は，図５に示すファイリング・システムにおいて画像データが記録された出力媒体を再生する装置の電気的構成を示すブロック図である。この再生装置によりバーチャル・アルバムが作成される。
【０１４４】
再生装置の全体の動作はＣＰＵ８０によって統括される。
【０１４５】
再生装置には，再生用プログラムを格納したＥＰＲＯＭ８１および画像データ，その他のデータを一旦格納するためのＲＡＭ８２が含まれている。ＣＰＵ８０，ＥＰＲＯＭ８１およびＲＡＭ８２はＣＰＵバスによって外部バス・コントローラ８３に接続されている。またフロッピー・ディスクに記録されたデータを読取る，およびフロッピー・ディスクにデータを記録するフロッピー・ディスク・ドライブ８４，フロッピー・ディスク・ドライブ８４を制御するフロッピー・ディスク・コントローラ８５，入力装置としてのマウス８６，マウス８６を再生装置に接続するためのインターフェイス８７，ファイリング・システムにおいてファイリングされた光ディスクおよび光磁気ディスク（出力媒体）に記録されたデータを読取る，ならびに光ディスクおよび光磁気ディスクにデータを記録する光ディスク装置８８，ハード・ディスクに記録された初期設定データ（１枚の台紙に何枚の画像を表示するかなどのデータ）を読取る，およびハードディスクにデータを記録するハード・ディスク・ドライバ８９およびＳＣＳＩ（Ｓｍａｌｌ  Ｃｏｍｐｕｔｅｒ  Ｓｙｓｔｅｍ  Ｉｎｔｅｒｆａｃｅ  ）９０が再生装置に含まれている。さらに再生装置には作成されたアルバム，メッセージなどを表示する表示装置９１，表示装置９１を駆動するディスプレイ・ドライバ９２，音声入力装置としてのマイクロフォン９３，アナログ／ディジタルおよびディジタル／アナログ変換回路９４，音声出力装置としてのスピーカ９５，ミキサ９６ならびにＭＩＤＩ（Ｍｕｓｉｃ  Ｉｎｓｔｒｕｍｅｎｔ  Ｄｉｇｉｔａｌ  Ｉｎｔｅｒｆａｃｅ）９７が含まれている。表示装置９１，マイクロフォン９３およびスピーカ９５は再生装置と着脱自在であってもよい。これらのフロッピー・ディスク・コントローラ８５，インターフェイス８７，ＳＣＳＩ９０，ディスプレイ・ドライバ９２ならびアナログ／ディジタルおよびディジタル／アナログ変換回路９４は外部バスによって外部バスコントローラ８３に接続されている。
【０１４６】
図４２に示す再生装置においては，図５に示すファイリング・システムにおいてファイリング処理された出力媒体が再生される（以下，このファイリング処理された出力媒体をユーザ用記録媒体ということにする）。
【０１４７】
（９）  再生処理
図４３および図４４は図４２に示す再生装置の処理手順を示すフローチャートである。また図４５から図５６は，再生処理中に再生装置の表示装置に表示される表示画面を示している。
【０１４８】
フロッピー・ディスクは容量が少なく，図５に示すファイリング・システムにおいて入力媒体として用いられたときは台紙画像データ，装飾画像データおよびＢＧＭデータは記録されない。このために図４２に示す再生装置にフロッピー・ディスクをセットしてもアルバムは作成されない（図４２に示す再生装置にフロッピー・ディスクをセットした場合には，フロッピー・ディスクに記録された画像データのうちユーザによって選択された画像データによって表わされる画像が表示装置９１に表示されることとなろう）。したがって図４２に示す再生装置においてバーチャル・アルバムを作成する場合にはユーザ用記録媒体として図５に示すファイリング処理された光ディスクまたは光磁気ディスクが，光ディスク装置８８にセットされる。
【０１４９】
光ディスク等が光ディスク装置８８にセットされると図４５に示すようなアルバム選択画面が表示装置９１上に表示される（ステップ１０１  ）。ユーザ用記録媒体を用いて作成可能な種類のバーチャル・アルバムが，アルバム選択画面として表示装置９１に表示される（ステップ１０１  ）。
【０１５０】
このアルバム選択画面は，ユーザ用記録媒体に記録されている標準用画像データのうち異なるタイトル・コードであって１駒めの画像を表わす画像データを読取ることにより作成できる。もちろん，部品データへのパスが格納されているディレクトリ「ＲＥＳ」を参照することにより，何種類のタイトル・コードに対応して部品データがユーザ用記録媒体に記録されているか，どのようなタイトル・コードに対応しているかがわかるから，これらのタイトル・コードおよび部品データを参照して図４５に示すアルバム選択画面を作成してもよい。
【０１５１】
アルバム選択画面においては区画Ａ６０が表示され，この区画Ａ６０内に３つの小区画Ａ６１，Ａ６２およびＡ６３が表示される。この小区画の数はユーザ用記録媒体として光ディスク装置８８にセットされた光ディスク等に格納されているタイトル・コードに対応するデータ数に対応している。図４５に示す例ではユーザ用記録媒体には３種類のタイトル・コードに対応した各データ（花の写真，動物の写真および子供達の写真）が記憶されている。小区画Ａ６１は花の写真のアルバムを作成できることを示し，小区画Ａ６２は動物の写真のアルバムを作成できることを示し，小区画Ａ６３は子供達の写真のアルバムを作成できることを示している。
【０１５２】
いずれかの小区画Ａ６１，Ａ６２またはＡ６３上をユーザがタッチすると表示装置９１の表示画面は図４６に示すように初期設定データならびに台紙画像データ，装飾画像データ，データの読込み中であることを知らせる画面に切換わる（ステップ１０２  ，１０３  ）。このときにもアニメーションを表示するようにしてもよい。
【０１５３】
作成すべきアルバムが選択されると，バーチャル・アルバム１ページ分に表示すべき画像の駒数の設定を含む初期設定が行なわれる。この初期設定に必要な初期設定データは再生装置のハードディスクにあらかじめ記憶されており，ハード・ディスクから初期設定データが読出される。バーチャル・アルバム１ページ分に表示すべき画像の駒数の設定はあらかじめハード・ディスクに記憶しておかなくともユーザに入力させるようにしてもよい。また後述のようにその枚数を変更することもできる。
【０１５４】
つづいてユーザ用記録媒体から，選択されたバーチャル・アルバムに対応するタイトル情報によって特定される台紙画像データ，装飾画像データおよび音声データが読出される（ステップ１０５  ）。選択されたアルバムに対応するタイトル情報をもつすべての画像データが検索されＲＡＭ８２に一旦記憶される（ステップ１０６  ）。検索された画像データのうち１駒目の画像を表わす画像データがＲＡＭ８２から読み出される（ステップ１０７  ）。読み出された画像データはＣＰＵ８０に与えられる。この画像データはＣＰＵ８０において縮小処理が行なわれる（ステップ１０８  ）。これにより縮小画像を表わす縮小画像データが得られる。もっとも光ディスク装置８８にセットされた光ディスク等には縮小画像データが記憶されているので，その縮小画像データを光ディスク等から読出してもよい。
【０１５５】
縮小画像データが得られると，図４７に示すように台紙画像データによって表わされる台紙Ａ７０上に，縮小画像データによって表わされる縮小画像が貼り付けられる（ステップ１０９  ）。初期設定により設定された駒数の画像が台紙Ａ７０に貼り付けられるまでステップ１０７  から１０９  までの処理が繰返される（ステップ１１０  ）。たとえば初期設定により１枚の台紙Ａ７０には６枚の画像が貼り付けられるものとされていると表示装置９１の表示画面には図４８に示すような画面が表示される（この画面が，装飾画像データがユーザ用記録媒体に記録されていないときのバーチャル・アルバムを表わしている）。
【０１５６】
図４７に示すように表示装置９１の表示画面には様々なアイコンも表示される。アイコンＩ１  は表示装置９１に現在表示されているアルバムから他の異なる種類のアルバムに変更するときにマウス８６でクリックされるアイコンである。アイコンＩ２  は表示装置９１に表示される画像の一部を抽出するときにクリックされるアイコンである。アイコンＩ３  はアルバムの台紙，装飾画像およびＢＧＭを変更するときにクリックされるアイコンである。アイコンＩ４  は，台紙Ａ７０に表示される画像の表示枚数を変更するときにクリックされるアイコンである。アイコンＩ５  はインターネットに接続する場合にクリックされるアイコンである。アイコンＩ６  は再生装置の取扱い説明が必要なときにクリックされるアイコンである。アイコンＩ７  は次のページをめくるときにクリックされるアイコンである。アイコンＩ８  （図４９参照）は前ページに戻るときにクリックされるアイコンである。アイコンＩ９  はアルバムの総ページ数と現在表示しているアルバムのページを表示する。
【０１５７】
アイコンＩ１  〜Ｉ６  をクリックすることによりそれぞれのアイコンＩ１  〜Ｉ６  に応じたウィンドウが現われ，それぞれの処理の実行が可能となる。たとえば表示装置９１の表示画面が図４８に示す状態であった場合にアイコンＩ７  がクリックされるとアルバムの次ページの画面が現われ，表示装置９１の表示画面は図４９に示す状態となる。このときにアイコンＩ７  をクリックすると表示装置９１の表示画面は再び図４８に示す状態に戻る。
【０１５８】
アイコンＩ３  をクリックすることにより図５０に示すように台紙の画像，装飾画像およびＢＧＭの変更または追加を行なうウィンドウが現われる。ウィンドウには台紙を変更するときにクリックされる区画Ａ９１，装飾画像を変更するときにクリックされる区画Ａ９２およびＢＧＭを変更するときにクリックされる区画Ａ９３が含まれている。区画Ａ９１，Ａ９２またはＡ９３がクリックされることにより複数種類の台紙が表示されたウィンドウ，複数種類の装飾画像が表示されたウィンドウまたは複数のＢＧＭ名が表示されたウィンドウが現われる。これらのウィンドウに表示された台紙等のうち所望の台紙等をクリックすることにより，台紙等が変更される（一例として複数種類の台紙が表示されたウィンドウが図５１に示されている）。図４９に示す表示画面に対して台紙を変えた表示画面が図５２および図５３に示すものである。
【０１５９】
さらに図５４に示すように装飾画像Ｄ１  およびＤ２  をアルバムに追加して表示してもよい。装飾画像Ｄ１  およびＤ２  をアルバムに表示する場合には（ユーザ用記録媒体に装飾画像データが記録されていない場合）アイコンＩ３  をクリックし，図５０に示すウィンドウを表示し，さらに区画Ａ９２をクリックする。これにより複数の装飾画像が表示装置９１に表示される。表示された装飾画像のうち所望の装飾画像がクリックされることにより，装飾画像が選択され，図５４に示すようにアルバムに装飾画像が表示される。もちろん，ユーザ用記録媒体に装飾画像データが記憶されていれば，アルバムが表示された当初から装飾画像も表示される。装飾画像Ｄ１  およびＤ２  の表示位置はたとえばドラッグすることにより移動することができる。
【０１６０】
バーチャル・アルバムにおいて台紙画像，装飾画像またはＢＧＭを変更または追加するときにはユーザ用記録媒体に記録されているデータの範囲で可能である（もっとも他のユーザ用記録媒体を用いればそのユーザ用記録媒体に記録されている範囲で台紙画像，装飾画像またはＢＧＭの変更または追加も可能である）。これらの台紙画像，装飾画像またはＢＧＭを変更，または追加するときには変更または追加する台紙画像，装飾画像またはＢＧＭに対応するデータがユーザ用記録媒体から読取られるのはいうまでもない。
【０１６１】
これらの台紙画像，装飾画像またはＢＧＭを変更または追加した場合にはそれぞれのデータを表わす各データおよび表示位置データがユーザ用記録媒体またはユーザ用記録媒体以外の記録媒体（たとえばフロッピー・ディスク）に記録される。これにより，台紙画像，装飾画像またはＢＧＭを変更または追加したバーチャル・アルバムを，あとで再び印刷することができる。またこれらの媒体をラボラトリィにもっていくことにより高品質の印刷も可能となる。
【０１６２】
図５５および図５６はアイコンＩ４  をクリックして１枚の台紙Ａ７０上に表示される画像の枚数を表示した例を示している。このように台紙Ａ７０上に表示される画像はユーザの所望の枚数に変更することができる。
【０１６３】
再生装置にプリンタを接続し，表示装置に表示されたバーチャル・アルバムをプリントしてもよい。
【０１６４】
また上述の再生装置においては画像データ，台紙画像データ，装飾画像データ，音声データおよび画像データによって表わされる画像を台紙に貼り付けるソフトウェア，画像データによって表わされる画像を装飾する装飾画像を台紙に貼り付けるソフトウェアは同一のユーザ用記録媒体に格納されているが，別々の媒体に格納されていてもよい。この場合には，それぞれの媒体が再生装置にセットされ各記憶媒体に格納されたデータを再生装置に読み込ませ上述したアルバムが作成されることとなろう。
【図面の簡単な説明】
【図１】情報記録部付写真フイルムを示す。
【図２】情報記録部に記録されるデータのフォーマットを示す。
【図３】情報記録部付写真フイルムを取扱うことが可能なカメラの一部を示す。
【図４】フイルム・スキャナの構成を示す。
【図５】ファイリング・システムの電気的構成を示すブロック図である。
【図６】ファイリング・システムに含まれるハード・ディスクのファイル構造を示す。
【図７】ディレクトリ管理領域の構成を示す。
【図８】ディレクトリ管理領域の構成を示す。
【図９】部品情報テーブル・ファイルの内容を示す。
【図１０】台紙画像データ記録領域の内容を示す。
【図１１】装飾画像データ記録領域の内容を示す。
【図１２】ＢＧＭデータ記録領域の内容を示す。
【図１３】タイトル情報，台紙，装飾画像およびＢＧＭの関係を示す。
【図１４】ファイリング処理の処理手順を示すフローチャートである。
【図１５】ファイリング処理の処理手順を示すフローチャートである。
【図１６】ファイリング処理の処理手順を示すフローチャートである。
【図１７】ファイリング処理の処理手順を示すフローチャートである。
【図１８】ファイリング・システムの表示装置に表示される画面の一例を示している。
【図１９】ファイリング・システムの表示装置に表示される画面の一例を示している。
【図２０】ファイリング・システムの表示装置に表示される画面の一例を示している。
【図２１】ファイリング・システムの表示装置に表示される画面の一例を示している。
【図２２】ファイリング・システムの表示装置に表示される画面の一例を示している。
【図２３】ファイリング・システムの表示装置に表示される画面の一例を示している。
【図２４】ファイリング・システムの表示装置に表示される画面の一例を示している。
【図２５】ファイリング・システムの表示装置に表示される画面の一例を示している。
【図２６】ファイリング・システムの表示装置に表示される画面の一例を示している。
【図２７】ファイリング・システムの表示装置に表示される画面の一例を示している。
【図２８】ファイリング・システムの表示装置に表示される画面の一例を示している。
【図２９】ファイリング・システムの表示装置に表示される画面の一例を示している。
【図３０】ファイリング・システムの表示装置に表示される画面の一例を示している。
【図３１】ファイリング・システムの表示装置に表示される画面の一例を示している。
【図３２】ファイリング処理の他の処理手順の一部を示すフローチャートである。
【図３３】ファイリング・システムの表示装置に表示される画面の一例を示している。
【図３４】ファイリング処理の他の処理手順の一部を示すフローチャートである。
【図３５】ファイリング処理の他の処理手順の一部を示すフローチャートである。
【図３６】出力媒体（ユーザ用記録媒体）のファイル構造を示している。
【図３７】出力媒体のディレクトリ構造を示している。
【図３８】出力媒体のディレクトリ構造を示している。
【図３９】出力媒体のディレクトリ構造を示している。
【図４０】出力媒体のディレクトリ構造を示している。
【図４１】アルバム部品記録領域の内容を示す。
【図４２】再生装置の電気的構成を示すブロック図である。
【図４３】再生処理の処理手順を示すフローチャートである。
【図４４】再生処理の処理手順を示すフローチャートである。
【図４５】再生装置の表示装置に表示される表示画面の一例を示す。
【図４６】再生装置の表示装置に表示される表示画面の一例を示す。
【図４７】再生装置の表示装置に表示される表示画面の一例を示す。
【図４８】再生装置の表示装置に表示される表示画面の一例を示す。
【図４９】再生装置の表示装置に表示される表示画面の一例を示す。
【図５０】再生装置の表示装置に表示される表示画面の一例を示す。
【図５１】再生装置の表示装置に表示される表示画面の一例を示す。
【図５２】再生装置の表示装置に表示される表示画面の一例を示す。
【図５３】再生装置の表示装置に表示される表示画面の一例を示す。
【図５４】再生装置の表示装置に表示される表示画面の一例を示す。
【図５５】再生装置の表示装置に表示される表示画面の一例を示す。
【図５６】再生装置の表示装置に表示される表示画面の一例を示す。
【符号の説明】
３０  コンピュータ・システム
３１  コンピュータ
３２  ディク・ドライバ
３５，９１  表示装置
４１，４２  フイルム・スキャナ
４３  フラット・ベッド・スキャナ
４４  メモリ・カード・リーダ
４５  フロッピー・ディスク
４６，４８  光ディスク装置
８０  ＣＰＵ
８１  ＥＰＲＯＭ
８９  ハード・ディスク・ドライバ
９０  ＳＣＳＩ
【図１】
0003593202.tif 000002
【図２】
0003593202.tif 000003
【図３】
0003593202.tif 000004
【図４】
0003593202.tif 000005
【図５】
0003593202.tif 000006
【図６】
0003593202.tif 000007
【図７】
0003593202.tif 000008
【図８】
0003593202.tif 000009
【図９】
0003593202.tif 000010
【図１０】
0003593202.tif 000011
【図１１】
0003593202.tif 000012
【図１２】
0003593202.tif 000013
【図１３】
0003593202.tif 000014
【図１４】
0003593202.tif 000015
【図１５】
0003593202.tif 000016
【図１６】
0003593202.tif 000017
【図１７】
0003593202.tif 000018
【図１８】
0003593202.tif 000019
【図１９】
0003593202.tif 000020
【図２０】
0003593202.tif 000021
【図２１】
0003593202.tif 000022
【図２２】
0003593202.tif 000023
【図２３】
0003593202.tif 000024
【図２４】
0003593202.tif 000025
【図２５】
0003593202.tif 000026
【図２６】
0003593202.tif 000027
【図２７】
0003593202.tif 000028
【図２８】
0003593202.tif 000029
【図２９】
0003593202.tif 000030
【図３０】
0003593202.tif 000031
【図３１】
0003593202.tif 000032
【図３２】
0003593202.tif 000033
【図３３】
0003593202.tif 000034
【図３４】
0003593202.tif 000035
【図３５】
0003593202.tif 000036
【図３６】
0003593202.tif 000037
【図３７】
0003593202.tif 000038
【図３８】
0003593202.tif 000039
【図３９】
0003593202.tif 000040
【図４０】
0003593202.tif 000041
【図４１】
0003593202.tif 000042
【図４２】
0003593202.tif 000043
【図４３】
0003593202.tif 000044
【図４４】
0003593202.tif 000045
【図４５】
0003593202.tif 000046
【図４６】
0003593202.tif 000047
【図４７】
0003593202.tif 000048
【図４８】
0003593202.tif 000049
【図４９】
0003593202.tif 000050
【図５０】
0003593202.tif 000051
【図５１】
0003593202.tif 000052
【図５２】
0003593202.tif 000053
【図５３】
0003593202.tif 000054
【図５４】
0003593202.tif 000055
【図５５】
0003593202.tif 000056
【図５６】
0003593202.tif 000057